(57)【要約】【課題】処理量を抑制しつつ、画像処理を施す領域と施さない領域とを決定する。【解決手段】テレビ（１０）は、画像中の各領域の位置を規定する位置規定情報を取得する位置規定情報取得部（１３０）と、上記位置規定情報を参照して、上記画像中の各領域のうち、画像処理を施す処理領域と画像処理を施さない非処理領域とを特定する領域特定部（１１９）と、を備える。【選択図】図１
2016154314.tif 000002
【特許請求の範囲】
【請求項１】
表示対象の画像について、当該画像中の各領域の位置を規定する位置規定情報を取得する位置規定情報取得部と、
上記位置規定情報取得部が取得した位置規定情報を参照して、上記画像中の各領域のうち、画像処理を施す処理領域と画像処理を施さない非処理領域とを特定する領域特定部と、を備えることを特徴とする画像処理装置。
【請求項２】
上記位置規定情報取得部は、上記位置規定情報として、映像信号の所定の伝送方式にて送信される第１の画像表示情報を取得することを特徴とする請求項１に記載の画像処理装置。
【請求項３】
上記位置規定情報取得部は、上記第１の画像表示情報として、上記画像のレイアウトおよび当該レイアウトを構成する領域を規定するレイアウト情報と、上記レイアウトを構成する領域に表示されるコンテンツの種類を規定するコンテンツ情報と、を取得することを特徴とする請求項２に記載の画像処理装置。
【請求項４】
上記領域特定部は、上記コンテンツとして放送番組の映像が表示される上記領域を、上記処理領域として特定し、上記映像と異なる上記コンテンツが表示される上記領域を、上記非処理領域として特定することを特徴とする請求項３に記載の画像処理装置。
【請求項５】
上記第１の画像表示情報は、ＭＭＴにて送信されることを特徴とする請求項２から４のいずれか１項に記載の画像処理装置。
【請求項６】
上記位置規定情報取得部は、上記位置規定情報として、上記画像を表示するための第２の画像表示情報を取得することを特徴とする請求項１から５のいずれか１項に記載の画像処理装置。
【請求項７】
上記位置規定情報取得部は、上記第２の画像表示情報として、コンテンツ中のオブジェクトの位置を規定するオブジェクト情報を取得することを特徴とする請求項６に記載の画像処理装置。
【請求項８】
上記領域特定部は、上記オブジェクトが表示される上記領域を、上記非処理領域として特定することを特徴とする請求項７に記載の画像処理装置。
【請求項９】
上記コンテンツは、Ｗｅｂコンテンツであることを特徴とする請求項７または８に記載の画像処理装置。
【請求項１０】
上記第２の画像表示情報は、所定のマークアップ言語で記述され、スタイルシートを含むことを特徴とする請求項６から９のいずれか１項に記載の画像処理装置。
【請求項１１】
上記領域特定部は、上記位置規定情報取得部が取得した上記位置規定情報と、予め定められた、上記画像を表示する表示領域の座標とに基づいて、上記表示領域における上記画像中の各領域の座標を算出することを特徴とする請求項１から１０のいずれか１項に記載の画像処理装置。
【請求項１２】
表示対象の画像について、当該画像中の各領域の位置を規定する第１の位置規定情報を、放送波を介して取得する第１取得部と、
上記画像について、当該画像中の各領域の位置を規定する、上記第１の位置規定情報と異なる第２の位置規定情報を、ネットワークを介して取得する第２取得部と、
上記第１取得部および上記第２取得部がそれぞれ取得した上記第１の位置規定情報および上記第２の位置規定情報を参照して、上記画像中の各領域のうち、画像処理を施す処理領域と画像処理を施さない非処理領域とを特定する領域特定部と、を備えることを特徴とする画像処理装置。
【請求項１３】
上記第１取得部は、上記第１の位置規定情報として、映像信号の所定の伝送方式にて送信される第１の画像表示情報を取得し、
上記第２取得部は、上記第２の位置規定情報として、上記画像を表示するための第２の画像表示情報を取得することを特徴とする請求項１２に記載の画像処理装置。
【請求項１４】
上記第１取得部は、上記第１の画像表示情報として、上記画像のレイアウトおよび当該レイアウトを構成する領域を規定するレイアウト情報と、上記レイアウトを構成する領域に表示される第１のコンテンツの種類を規定するコンテンツ情報と、を取得し、
上記第２取得部は、上記第２の画像表示情報として、上記第１のコンテンツと異なる第２のコンテンツ中のオブジェクトの位置を規定するオブジェクト情報を取得することを特徴とする請求項１３に記載の画像処理装置。
【請求項１５】
上記領域特定部は、
上記第１のコンテンツとして放送番組の映像が表示される領域である映像領域の座標を、上記レイアウト情報、上記コンテンツ情報、および予め定められた、上記画像を表示する表示領域の座標を参照することで算出すると共に、
上記映像領域における、上記オブジェクトが表示される領域の座標を、上記オブジェクト情報を参照して算出することを特徴とする請求項１４に記載の画像処理装置。
【請求項１６】
上記第２のコンテンツは、Ｗｅｂコンテンツであることを特徴とする請求項１４または１５に記載の画像処理装置。
【請求項１７】
上記第１の画像表示情報はＭＭＴにて送信され、
上記第２の画像表示情報は所定のマークアップ言語で記述され、スタイルシートを含むことを特徴とする請求項１３から１６のいずれか１項に記載の画像処理装置。
【請求項１８】
請求項１から１７のいずれか１項に記載の画像処理装置を備えていることを特徴とするテレビジョン受像機。
【請求項１９】
表示対象の画像について、当該画像中の各領域の位置を規定する位置規定情報を取得する位置規定情報取得ステップと、
上記位置規定情報取得ステップにて取得した位置規定情報を参照して、上記画像中の各領域のうち、画像処理を施す処理領域と画像処理を施さない非処理領域とを特定する領域特定ステップと、を含むことを特徴とする画像処理装置の制御方法。
【請求項２０】
請求項１に記載の画像処理装置としてコンピュータを機能させるための制御プログラムであって、上記領域特定部としてコンピュータを機能させるための制御プログラム。
【請求項２１】
表示対象の画像について、当該画像中の各領域の位置を規定する第１の位置規定情報を、放送波を介して取得する第１取得ステップと、
上記画像について、当該画像中の各領域の位置を規定する、上記第１の位置規定情報と異なる第２の位置規定情報を、ネットワークを介して取得する第２取得ステップと、
上記第１取得ステップおよび上記第２取得ステップにてそれぞれ取得した上記第１の位置規定情報および上記第２の位置規定情報を参照して、上記画像中の各領域のうち、画像処理を施す処理領域と画像処理を施さない非処理領域とを特定する領域特定ステップと、を含むことを特徴とする画像処理装置の制御方法。
【請求項２２】
請求項１２に記載の画像処理装置としてコンピュータを機能させるための制御プログラムであって、上記第２取得部および上記領域特定部としてコンピュータを機能させるための制御プログラム。
【請求項２３】
請求項２０または２２に記載の制御プログラムを記録したコンピュータ読み取り可能な記録媒体。
【発明の詳細な説明】
【技術分野】
【０００１】
本発明は、表示対象の画像に画像処理を施す画像処理装置などに関する。
【背景技術】
【０００２】
従来、テレビジョン受像機（以下、「テレビ」とも呼称する）などの画像表示装置において、表示する画像を複数の領域に分割したり、ある画像に他の画像を重畳したりすることで、単一の画面に複数の画像を表示することが行われている。そのようなテレビにおいては、例えば、放送番組を示す動画像と、字幕や文字スーパーなどの画像とが、共に単一の画面に表示される。
【０００３】
例えば、特許文献１には、番組映像と字幕映像とを含む映像を表示するテレビに表示された映像を撮影して得られた撮影映像データから、字幕のテキストを検出する映像字幕検出装置が開示されている。
【先行技術文献】
【特許文献】
【０００４】
【特許文献１】特開２０１３−３０９６３号公報（２０１３年２月７日公開）
【発明の概要】
【発明が解決しようとする課題】
【０００５】
上述のように、単一の画面に複数の画像を表示する場合、当該複数の画像を合成することにより生成した表示画像に対して画像処理を行うことが一般的である。しかし、当該表示画像の全体に対して一様に画像処理が施されるため、合成された画像の種類によっては、表示画像のうちの一部分の視認性が低下してしまうという課題がある。例えば、字幕に含まれる小さい文字に対して、画像処理として高解像度化処理が施されると、当該文字の視認性が低下してしまう。
【０００６】
このように、表示画像に字幕が含まれるときには、上記特許文献１に記載の技術を用いて表示画像から字幕領域を検出し、字幕領域以外の領域に画像処理を施すことが考えられる。
【０００７】
しかしながら、特許文献１に記載の技術では、フレーム画像から検出した直線成分によって形成される矩形や、テレビ画面領域から検出した画像のエッジの分布に基づいて、テレビ画面領域の検出や字幕領域の推定を行っており、特許文献１に記載の字幕領域の検出（推定）処理では、処理量が増大するという問題がある。
【０００８】
本発明は上記の課題に鑑みてなされたものであり、その目的は、処理量を抑制しつつ、画像処理を施す領域と施さない領域とを決定することができる画像処理装置などを提供することにある。
【課題を解決するための手段】
【０００９】
上記の課題を解決するために、本発明の一態様に係る画像処理装置は、表示対象の画像について、当該画像中の各領域の位置を規定する位置規定情報を取得する位置規定情報取得部と、上記位置規定情報取得部が取得した位置規定情報を参照して、上記画像中の各領域のうち、画像処理を施す処理領域と画像処理を施さない非処理領域とを特定する領域特定部と、を備える。
【００１０】
また、上記の課題を解決するために、本発明の一態様に係る画像処理装置は、表示対象の画像について、当該画像中の各領域の位置を規定する第１の位置規定情報を、放送波を介して取得する第１取得部と、上記画像について、当該画像中の各領域の位置を規定する、上記第１の位置規定情報と異なる第２の位置規定情報を、ネットワークを介して取得する第２取得部と、上記第１取得部および上記第２取得部がそれぞれ取得した上記第１の位置規定情報および上記第２の位置規定情報を参照して、上記画像中の各領域のうち、画像処理を施す処理領域と画像処理を施さない非処理領域とを特定する領域特定部と、を備える。
【００１１】
また、上記の課題を解決するために、本発明の一態様に係る画像処理装置の制御方法は、表示対象の画像について、当該画像中の各領域の位置を規定する位置規定情報を取得する位置規定情報取得ステップと、上記位置規定情報取得ステップにて取得した位置規定情報を参照して、上記画像中の各領域のうち、画像処理を施す処理領域と画像処理を施さない非処理領域とを特定する領域特定ステップと、を含む。
【００１２】
また、上記の課題を解決するために、本発明の一態様に係る画像処理装置の制御方法は、表示対象の画像について、当該画像中の各領域の位置を規定する第１の位置規定情報を、放送波を介して取得する第１取得ステップと、上記画像について、当該画像中の各領域の位置を規定する、上記第１の位置規定情報と異なる第２の位置規定情報を、ネットワークを介して取得する第２取得ステップと、上記第１取得ステップおよび上記第２取得ステップにてそれぞれ取得した上記第１の位置規定情報および上記第２の位置規定情報を参照して、上記画像中の各領域のうち、画像処理を施す処理領域と画像処理を施さない非処理領域とを特定する領域特定ステップと、を含む。
【発明の効果】
【００１３】
本発明の一態様によれば、処理量を抑制しつつ、画像処理を施す領域と施さない領域とを決定することができるという効果を奏する。
【図面の簡単な説明】
【００１４】
【図１】本発明の実施形態１〜３に係る表示システムが備えるテレビおよびサーバの要部構成を示すブロック図である。
【図２】図１に示す表示システムの外観図である。
【図３】実施形態１における、高解像度化処理が施される領域と施されない領域との一例を示す模式図である。
【図４】（ａ）は、図１に示すテレビが取得するレイアウト設定テーブル（ＬＣＴ）の一例を示す図であり、（ｂ）は、ＬＣＴの各フィールドの値の一例を示す図である。
【図５】ＬＣＴにて定義されるレイアウトの一例を示す図である。
【図６】図１に示すテレビが取得するＭＭＴパッケージテーブル（ＭＰＴ）の一例を示す図である。
【図７】図６に示すＭＰＴに記載されたＭＰＵ提示領域指定記述子の一例を示す図である。
【図８】（ａ）は、実施形態１におけるＬＣＴ取得処理の流れの一例を示すフローチャートであり、（ｂ）は、実施形態１におけるＭＰＴ取得処理の流れの一例を示すフローチャートである。
【図９】図８に示す高解像度化領域特定処理の流れの一例を示すフローチャートである。
【図１０】図８に示す高解像度化領域特定処理の流れの別の例を示すフローチャートである。
【図１１】２画面表示時における高解像度化処理が施される領域と施されない領域とを示す模式図である。
【図１２】（ａ）は、実施形態２における、高解像度化処理が施される領域と施されない領域との一例を示す模式図であり、（ｂ）は、高解像度化処理が施されない領域を特定するためのパラメータの一例を示す図であり、（ｃ）は、高解像度化処理が施されない領域を特定するためのパラメータの別の例を示す図である。
【図１３】（ａ）は、実施形態２における高解像度化領域特定処理の流れの一例を示すフローチャートであり、（ｂ）は、実施形態２における特定領域解除処理の流れの一例を示すフローチャートである。
【図１４】（ａ）は、実施形態２における、高解像度化処理が施される領域と施されない領域との別の例を示す模式図であり、（ｂ）は、実施形態２における、高解像度化処理が施される領域と施されない領域とのさらに別の例を示す模式図である。
【図１５】実施形態３における、高解像度化処理が施される領域と施されない領域との一例を示す模式図である。
【図１６】実施形態３における高解像度化領域特定処理の流れの一例を示すフローチャートである。
【発明を実施するための形態】
【００１５】
〔実施形態１〕
本発明の一実施形態（実施形態１）について、図１から図１１に基づいて説明すると以下のとおりである。
【００１６】
（本実施形態に係る表示システム１の概要）
まず、図２および図３を参照して本実施形態に係る表示システム１の概要について説明する。図２は、本実施形態に係る表示システム１の外観を示す外観図である。また、図３は、高解像度化処理が施される領域と施されない領域との一例を示す模式図である。なお以降、コマ画像、領域、表示画面などの上下左右は、特別に言及する場合を除き、図面（図３など）における上下左右と同様であるものとする（例えば、左辺は図面における左側の辺である）。
【００１７】
本実施形態に係る表示システム１は、図２に示すように、テレビジョン受像機（テレビ）１０、およびサーバ２０を含んでいる構成である。なお、本実施形態では、画像処理装置がテレビ１０と一体となっている構成を例に挙げて説明するが、画像処理装置は、テレビ１０以外の画像表示機能を有する装置（以下、表示装置と称する）と一体となっていてもよいし、表示装置と別体であり、当該表示装置と通信可能に接続された構成であってもよい。
【００１８】
本実施形態に係るテレビ１０は、放送番組の信号とともに、放送番組の動画像を構成するコマ画像における各領域の位置、および各領域に表示されるコンテンツを規定する情報を含む情報であるメッセージ（第１の画像表示情報）を、放送波を介して受信する。なお、当該メッセージは、次世代の４Ｋ／８Ｋ放送において採用が検討されている信号の伝送方式である、ＭＭＴ（MPEG Media Transport）フォーマットにて送信される。そこで、本実施形態では、ＭＭＴフォーマットにて伝送された映像信号を受信するテレビ１０について説明する。なお、伝送方式はＭＭＴフォーマットに限定されるものではない。例えば、ＭＰＥＧ−２  ＴＳなどによって伝送されてもよい。
【００１９】
そして、本実施形態に係るテレビ１０は、受信したメッセージを参照して、コマ画像（表示対象の画像）において画像処理を施す処理領域と、画像処理を施さない非処理領域とを特定する。なお、本実施形態では、上記画像処理として高解像度化処理を施す構成を説明する。高解像度化処理とは、例えば、４Ｋ２Ｋディスプレイとして疑似的に駆動させることのできるディスプレイに対応させるように、ＨＤ（High Definition）画質の画像（動画像を構成するコマ画像）の画質を向上させる処理をいう。もちろん、高解像度化処理はこの例に限定されるものではなく、例えば、ＳＤ（Standard Definition）画質の画像の画質をＨＤディスプレイに、ＨＤ画質の画像の画質を４Ｋ２Ｋディスプレイに、それぞれ対応させるように向上させる処理であってもよい。なお以降、処理領域を高解像度化領域、非処理領域を処理除外領域と称する場合がある。
【００２０】
なお、本発明における画像処理は、高解像度化処理に限定されない。例えば、動画像のフレームレートを向上させる（例えば、毎秒６０フレームのフレームレートを、毎秒１２０フレームのフレームレートに向上させる）倍速化処理であってもよい。さらに、画像処理は、画像の高精細化処理、エッジ強調処理、ガンマ補正処理、または、ホワイトバランス調整処理などであってもよい。また、上述した処理のうち複数の処理を行うものであってもよい。
【００２１】
図３は、テレビ１０に映る動画像３０が、映像やデータ放送を表示する映像領域３１、文字スーパーを表示する文字スーパー領域３２、字幕を表示する字幕領域３３の３つの領域を有する場合を示している。このとき、動画像３０全体に高解像度化処理を施すと、文字スーパー領域３２や字幕領域３３に含まれるテキストの視認性が低下してしまうおそれがある。そこで、本実施形態に係るテレビ１０は、受信したメッセージを参照して、映像領域３１を高解像度化領域４１とし、文字スーパー領域３２および字幕領域３３を処理除外領域４２とする。これにより、映像領域３１のみに高解像度化処理が行われるため、テキストの視認性の低下を防ぐことができる。以下、このようなテレビ１０の詳細について説明する。
【００２２】
（テレビの構成）
まず、本実施形態に係る表示システム１の備えるテレビ１０の要部構成について、図１を参照して説明する。図１は、本実施形態に係る表示システム１の備えるテレビ１０およびサーバ２０の要部構成を示すブロック図である。なお、サーバ２０については、後述する実施形態２にてその詳細を説明する。
【００２３】
図１に示すように、本実施形態に係るテレビ１０は、放送受信部１０１、分離部１０２（第１取得部）、リモコン受信部１０３、ＵＩ制御部１０４、通信制御部１０５、ＨＴＭＬブラウザ１０６（第２取得部）、音声復号部１０７、音声出力部１０８、映像生成部１１０、表示部１２０、および記憶部１４０を備えている。なお、通信制御部１０５およびＨＴＭＬブラウザ１０６の詳細については、後述する実施形態２にて説明する。
【００２４】
（放送受信部、分離部）
放送受信部１０１は、地上デジタル放送により放送される放送番組を含む放送ストリーム、および、衛星放送により放送される放送番組を含む放送ストリームなどを受信する手段であり、例えば、アンテナおよびチューナなどによって構成されている。
【００２５】
分離部１０２は、放送受信部１０１によって受信された放送番組を示す受信信号を映像信号および音声信号に分離する。具体的には、分離部１０２は、放送受信部１０１が受信した放送番組を示す受信信号を逆多重化し、逆多重化によって得られた放送番組の各構成要素（コンポーネント）を、当該コンポーネントの種別に応じて処理する。さらに具体的には、分離部１０２は、オーディオのコンポーネントは音声復号部１０７に出力し、動画像（ビデオ）のコンポーネントは後述する映像復号部１１１に出力する。
【００２６】
また、分離部１０２は、受信したメッセージに含まれるレイアウト設定テーブル（レイアウト情報、以下、ＬＣＴと称する）およびＭＭＴパッケージテーブル（コンテンツ情報、以下、ＭＰＴと称する）を、記憶部１４０のＲＡＭ（Random Access Memory）に記憶する。分離部１０２は、ＬＣＴおよびＭＰＴのいずれか一方を記憶すると、このタイミングで記憶していない他方が記憶部１４０に記憶済みであるか否かを確認する。記憶済みである場合、または、このタイミングでＬＣＴおよびＭＰＴの両方を記憶した場合、分離部１０２は、ＬＣＴおよびＭＰＴを記憶した旨を後述する領域特定部１１９に通知する。なお、記憶部１４０に既にＬＣＴおよびＭＰＴが記憶されている場合は、記憶されているＬＣＴおよびＭＰＴを更新する。
【００２７】
ここで、ＬＣＴおよびＭＰＴの詳細について、図４から図７を参照して説明する。図４の（ａ）は、テレビ１０が取得するＬＣＴの一例を示す図であり、図４の（ｂ）は、ＬＣＴの各フィールドの値の一例を示す図である。また、図５は、ＬＣＴにて定義されるレイアウトの一例を示す図である。また、図６は、テレビ１０が取得するＭＰＴの一例を示す図である。最後に、図７は、ＭＰＴに記載されたＭＰＵ（Media Processing Unit）提示領域指定記述子の一例を示す図である。
【００２８】
図４の（ａ）に示すように、ＬＣＴには、当該テーブルで設定するレイアウトとデバイスの組み合わせの総数を示すフィールドＤ１、各レイアウトを識別するレイアウト番号（layout number）を示すフィールドＤ２、クライアント端末（デバイス）を識別するデバイスＩＤ（device id）を示すフィールドＤ３、レイアウト番号が示すレイアウトにおける領域数を示すフィールドＤ４、各領域を識別する領域番号（region number）を示すフィールドＤ５、各領域の頂点の位置を、水平方向または垂直方向の全画素数に対する割合で示すフィールドＤ６、および、領域の奥行き方向の相対位置を示すフィールドＤ７を含む。
【００２９】
ここで、レイアウトの一例について図５を参照して説明する。まず、図５の（ａ）に示すように、layout numberが０であるレイアウト５１は、region numberが０である領域６１のみを有するレイアウト（単一の領域を有するレイアウト）である。また、図５の（ｂ）に示す、layout numberが１であるレイアウト５２は、region numberが０、１、および２である領域６２、領域６３、および領域６４を有するレイアウト（重ならない３領域を有するレイアウト）である。また、図５の（ｃ）に示す、layout numberが２であるレイアウト５３は、region numberが０、１、２である領域６５、領域６６、および領域６７を有するレイアウトである。なお、レイアウト５３はレイアウト５２と異なり、重なる３領域を有するレイアウトである。すなわち、レイアウト５３は、レイアウト全体を占める領域６５に重畳して、領域６６および領域６７が配置されているレイアウトである。最後に、図５の（ｄ）に示す、layout numberが３であるレイアウト５４は、２つのデバイスにおけるレイアウトである。具体的には、device idが０であるデバイス７１に表示される領域である、region numberが０の領域６８、および、device idが１であるデバイス７２に表示される領域である、region numberが１の領域６９を有するレイアウトである。なお、レイアウトの種類は上述したものに限定されるものではない。
【００３０】
図４の（ｂ）は、上述したレイアウトのうち、図５の（ｂ）に示すレイアウト５２を示すＬＣＴにおける、各フィールドの値を示している。図４の（ｂ）に示すように、ＬＣＴには、領域６２、領域６３、および領域６４における各頂点の位置を示す情報（位置情報）が含まれている。
【００３１】
ここで、位置情報のうち、left top pos x（以降、ｌｔｘと称する）は、領域の左上の頂点のＸ座標の値（device idが示すデバイスにおいて、動画像を全画面表示した場合における動画像の左辺を０とし、右辺を１００としたときの数値）を示す。また、left top pos y（以降、ｌｔｙと称する）は、領域の左上の頂点のＹ座標の値（device idが示すデバイスにおいて、動画像を全画面表示した場合における動画像の上辺を０とし、下辺を１００としたときの数値）を示す。同様に、right down pos x（以降、ｒｄｘと称する）は、領域の右下の頂点のＸ座標の値を示し、right down pos y（以降、ｒｄｙと称する）は、領域の右下の頂点のＹ座標の値を示す。なお、位置情報はこの例に限定されるものではない。また、layout numberやregion numberなどの他のフィールドにおける値についても、図４の（ｂ）は一例であり、この例に限定されるものではない。
【００３２】
このように、メッセージからＬＣＴを取得することで、テレビ１０は、自装置において表示する動画像のレイアウトおよび、動画像における各領域の位置を示す情報（レイアウト情報）を取得することができる。
【００３３】
続いて、図６に示すように、ＭＰＴには、当該テーブルにて情報を与えるコンテンツ（アセット）の数を示すフィールドＤ１１、アセットの種類を示すフィールドＤ１２、アセットの記述子を格納するフィールドＤ１３を含む。
具体的には、ＭＰＴには、フィールドＤ１１が示すアセットの数だけ、フィールドＤ１２およびフィールドＤ１３を含むシンタックスＤ１４（以下、アセット情報と称する）が含まれる。
【００３４】
フィールドＤ１２は、例えば、映像（ＨＥＶＣ）を示す「ｈｖｃｌ」、音声を示す「ｍｐ４ａ」、字幕、文字スーパーを示す「ｓｔｐｐ」、およびアプリケーションを示す「ａａｐｐ」といった文字列によって、各アセットの種類を示す。
【００３５】
また、フィールドＤ１３には、図７に示すＭＰＵ提示領域指定記述子が格納される。ＭＰＵ提示領域指定記述子は、上述したレイアウト番号を示す記述子Ｄ２１、および上述した領域番号を示す記述子Ｄ２２を含む。以上より、メッセージからＭＰＴを取得することで、テレビ１０は、ＬＣＴにて規定された動画像のレイアウトにおける各領域において、どのようなコンテンツが表示されるかを示す情報（コンテンツ情報）を取得することができる。
【００３６】
以上のように、分離部１０２は、放送番組における各コンテンツが表示される位置を規定する情報（メッセージ）を取得する。つまり、分離部１０２は、動画像における各コンテンツが表示される位置を規定する位置規定情報を取得する、位置規定情報取得部１３０に含まれるとも表現することができる。
【００３７】
（音声復号部、音声出力部）
音声復号部１０７は、分離部１０２から受け取ったオーディオのコンポーネントから音声信号を復号する。
【００３８】
音声出力部１０８は、音声信号の示す音声を出力する手段であり、例えば、スピーカなどを挙げることができる。
【００３９】
（リモコン受信部）
リモコン受信部１０３は、リモコン（不図示）から無線送信される、ユーザがリモコンを操作することにより行うユーザ指示の内容を示すリモコン信号を受信する。また、リモコン受信部１０３は、受信したリモコン信号を、当該リモコン信号の示すユーザ指示の内容に応じてテレビ１０の備える各部に供給する。
【００４０】
リモコン受信部１０３とリモコンとの間の無線通信としては、例えば、赤外線、Ｂｌｕｅｔｏｏｔｈ（登録商標）、および、ＩＥＥＥ８０２１１などの無線通信を例に挙げることができるが、特に限定されるものではない。
【００４１】
（ＵＩ制御部）
ＵＩ制御部１０４は、リモコン信号の示すユーザ指示が、ＵＩ（ユーザインターフェース）要素を表示する処理を含む指示である場合、表示すべきＵＩ要素を生成し、映像生成部１１０に供給する。なお、ＵＩ要素には、例えば、メニュー、および、ＥＰＧ（Electronic Program Guide：電子番組表）、並びに、これらを表示する画面において項目を選択するためのカーソルなどが含まれる。
【００４２】
（映像生成部）
映像生成部１１０は、映像の生成に関する処理を統括的に制御し、表示部１２０によって表示される映像を示す表示用映像信号を生成する。なお、映像生成部１１０の詳細については後述する。
【００４３】
（表示部）
表示部１２０は、映像生成部１１０によって生成された表示用映像信号が表す映像を表示する。なお、表示部１２０の詳細についても、後述する。
【００４４】
（記憶部）
記憶部１４０は、テレビ１０にて使用される各種データを記憶する。記憶部１４０は例えば、上述したようにメッセージから取得したＬＣＴおよびＭＰＴを、ＲＡＭに格納する。
【００４５】
（映像生成部１１０の構成）
続いて、映像生成部１１０の構成について、図１を参照して説明する。映像生成部１１０は、図１に示すように、映像復号部１１１、バックバッファ１１２、ＵＩ転送処理部１１３、ＯＳＤ部１１４、フルカラーバックバッファ１１５、オブジェクト転送処理部１１６、フルカラーＯＳＤ部１１７、映像合成部１１８、および、領域特定部１１９を備えている。なお、フルカラーバックバッファ１１５、オブジェクト転送処理部１１６、およびフルカラーＯＳＤ部１１７の詳細については、後述する実施形態２にて説明する。
【００４６】
（映像復号部）
映像復号部１１１は、分離部１０２から受け取った動画像のコンポーネントから映像信号を復号する。また、映像復号部１１１は、復号した映像信号の示す動画像を構成するコマ画像を、コマ画像を描画するためのレイヤー（ビデオプレーン）に逐次描画する。映像復号部１１１は、描画されたビデオプレーンを映像合成部１１８に逐次供給する。
【００４７】
（バックバッファ、ＵＩ転送処理部、ＯＳＤ部）
バックバッファ１１２は、ＵＩ制御部１０４から供給されるＵＩ要素を格納する。また、ＵＩ転送処理部１１３は、バックバッファに格納されているＵＩ要素を読み出し、読み出したＵＩ要素データをＯＳＤ部１１４に転送する。
【００４８】
ＯＳＤ部１１４は、転送されたＵＩ要素を、ＵＩ要素を描画するためのＯＳＤプレーン上に描画する。ＯＳＤ部１１４は、ＵＩ要素の描画されたＯＳＤプレーンを、映像合成部１１８に逐次供給する。
【００４９】
（映像合成部）
映像合成部１１８は、ＯＳＤ部１１４から供給されたビデオプレーンに、ＯＳＤ部１１４から供給されたＯＳＤプレーンを重畳し、重畳画像データを生成する。映像合成部１１８は、生成した重畳画像データを、表示部１２０の備える映像処理部１２１に供給する。
【００５０】
（領域特定部）
領域特定部１１９は、分離部１０２が記憶部１４０に格納したＬＣＴおよびＭＰＴを参照して、高解像度化処理を施す高解像度化領域と、高解像度化処理を施さない処理除外領域とを特定する。具体的には、領域特定部１１９は、分離部１０２から記憶部１４０にＬＣＴおよびＭＰＴを記憶（または更新）したことを通知されると、後述する映像処理部１２１に対して、前回特定した高解像度化領域の削除を指示する。そして、領域特定部１１９は、ＭＰＴに記載のアセット情報から１つを選択し、選択したアセット情報に対応付けられているレイアウト番号および領域番号を特定する。そして、領域特定部１１９は、特定したレイアウト番号が記述されたＬＣＴを特定し、特定した領域番号の位置情報、すなわち当該領域番号が示す領域の各頂点の位置を示す情報（図４に示すleft top pos x、left top pos y、right down pos x、right down pos y）を取得する。
【００５１】
そして、領域特定部１１９は、取得した位置情報と、予め定められた、自装置（テレビ１０）における表示領域のサイズ（座標）とから、特定した領域番号が示す領域の、表示領域における左辺および右辺のＸ座標、並びに、上辺および下辺のＹ座標を算出する。
【００５２】
ここで、特定した領域番号が示す領域の、表示領域における左辺および右辺のＸ座標、並びに、上辺および下辺のＹ座標の算出について、より詳細に説明する。なおここでは、表示領域がテレビ１０の表示画面全体であるものとして説明する。表示画面の左上を原点とし、右方向にＸ軸、下方向にＹ軸をとり、左辺のＸ座標をｌｘ、右辺のＸ座標をｒｘ、上辺のＹ座標をｔｙ、下辺のＹ座標をｄｙとする。そして、表示画面のサイズは、３８４０×２１６０であるものとする。
【００５３】
領域特定部１１９は、ｌｘ＝３８４０×ｌｔｘ÷１００、ｔｙ＝２１６０×ｌｔｙ÷１００、ｒｘ＝３８４０×ｒｄｘ÷１００、ｄｙ＝２１６０×ｒｄｙ÷１００を計算することによって、表示画面上における、特定した領域の左辺および右辺のＸ座標、並びに、上辺および下辺のＹ座標を算出する。これにより、特定した領域の表示画面上における座標を特定することができる。以降、算出したＸ座標およびＹ座標を、表示位置情報と称する。
【００５４】
そして、領域特定部１１９は、選択したアセット情報に含まれるアセットタイプが、映像（ＨＥＶＣ）を示しているか否かを判定する。映像を示している場合、領域特定部１１９は、特定した領域が高解像度化領域であると特定する。そして、領域特定部１１９は、算出した表示位置情報を映像処理部１２１に出力し、当該表示位置情報によって示される領域に高解像度化処理を施すよう指示する。
【００５５】
一方、アセットタイプが映像を示していない場合、領域特定部１１９は、特定した領域が処理除外領域であると特定する。この場合、領域特定部１１９は処理を終了する。
【００５６】
領域特定部１１９は、記憶部１４０に記憶されているＭＰＴに含まれるアセット情報すべてについて、上述した処理を実行する。具体的には、１つのアセット情報について上述した処理（すなわち、アセット情報に対応付けられた領域番号が示す領域が、高解像度化領域であるか、または処理除外領域であるかを特定する処理）が完了すると、未選択のアセット情報のうち１つを選択して、同様の処理を実行する。そして、すべてのアセット情報について、アセット情報に対応付けられた領域番号が示す領域が、高解像度化領域であるか、または処理除外領域であるかを特定するまで、上述した処理を繰り返す。
【００５７】
（表示部１２０の構成）
次に、表示部１２０の構成について、図１を参照して説明する。表示部１２０は、図１に示すように、映像処理部１２１、および、ディスプレイ１２２を備えている。
【００５８】
（映像処理部）
映像処理部１２１は、映像生成部１１０（より正確には、映像合成部１１８）から供給される重畳画像データの示す重畳画像に対し、画像処理を施す。具体的には、映像処理部１２１は、領域特定部１１９から受け取った表示位置情報が示す領域を、高解像度化領域に設定し、当該領域にのみ高解像度化処理を施す。
【００５９】
さらに、映像処理部１２１は、全体または一部に高解像度化処理の施された重畳画像が表示されるよう、ディスプレイ１２２の駆動を制御する。
（ディスプレイ）
ディスプレイ１２２は、映像処理部１２１の制御に従い、重畳画像を表示する。
【００６０】
（ＬＣＴ取得処理、ＭＰＴ取得処理）
次に、図８を参照して、本実施形態に係るテレビ１０が実行するＬＣＴ取得処理およびＭＰＴ取得処理の流れについて説明する。図８の（ａ）は、ＬＣＴ取得処理の流れの一例を示すフローチャートであり、図８の（ｂ）は、ＭＰＴ取得処理の流れの一例を示すフローチャートである。
【００６１】
最初に、図８の（ａ）を参照して、ＬＣＴ取得処理の詳細について説明する。まず、分離部１０２は、メッセージに含まれる形でのＬＣＴの受信を待機する状態となっている（Ｓ１、位置規定情報取得ステップ、第１取得ステップ）。ＬＣＴを受信したとき（Ｓ１でＹＥＳ）、分離部１０２は受信したＬＣＴを記憶部１４０のＲＡＭに保存する（Ｓ２）。そして、分離部１０２は、記憶部１４０にＭＰＴが保存されているか否かを確認する（Ｓ３）。保存されていない場合（Ｓ３でＮＯ）、分離部１０２は処理を終了する。
一方、保存されている場合（Ｓ３でＹＥＳ）、分離部１０２は、ＬＣＴおよびＭＰＴを保存したことを領域特定部１１９に通知する（Ｓ４）。そして、領域特定部１１９が後述する高解像度化領域特定処理を実行し（Ｓ５）、当該処理は終了する。
【００６２】
続いて、図８の（ｂ）を参照して、ＭＰＴ取得処理の詳細について説明する。まず、分離部１０２は、メッセージに含まれる形でのＭＰＴの受信を待機する状態となっている（Ｓ１１、位置規定情報取得ステップ、第１取得ステップ）。ＭＰＴを受信したとき（Ｓ１１でＹＥＳ）、分離部１０２は受信したＭＰＴを記憶部１４０のＲＡＭに保存する（Ｓ１２）。そして、分離部１０２は、記憶部１４０にＬＣＴが保存されているか否かを確認する（Ｓ１３）。保存されていない場合（Ｓ１３でＮＯ）、分離部１０２は処理を終了する。
一方、保存されている場合（Ｓ１３でＹＥＳ）、分離部１０２は、ＬＣＴおよびＭＰＴを保存したことを領域特定部１１９に通知する（Ｓ１４）。そして、領域特定部１１９が後述する高解像度化領域特定処理を実行し（Ｓ１５）、当該処理は終了する。
【００６３】
（高解像度化領域特定処理）
次に、図９を参照して、図８に示す高解像度化領域特定処理の流れについて説明する。図９は、高解像度化領域特定処理の流れの一例を示すフローチャートである。
【００６４】
まず、領域特定部１１９は、分離部１０２からの通知を受け取ると、前回特定した高解像度化領域の削除を映像処理部１２１に指示する（Ｓ２１）。
【００６５】
続いて領域特定部１１９は、記憶部１４０から読み出したＭＰＴに記載のアセット情報のうち、１つを選択する（Ｓ２２）。続いて領域特定部１１９は、選択したアセット情報において、ＭＰＵ提示領域指定記述子に含まれるレイアウト番号および領域番号を特定する（Ｓ２３）。そして、特定したレイアウト番号が記述されたＬＣＴを特定し、記憶部１４０から読み出す（Ｓ２４）。
【００６６】
続いて領域特定部１１９は、特定したＬＣＴから、特定した領域番号に対応付けられた位置情報を取得し（Ｓ２５）、特定した領域番号が示す領域の、表示画面上における左辺および右辺のＸ座標、並びに、上辺および下辺のＹ座標を算出する（Ｓ２６）。
【００６７】
続いて領域特定部１１９は、選択したアセット情報に含まれるアセットタイプが、ＨＥＶＣ（映像）であるか否かを判定する（Ｓ２７）。アセットタイプがＨＥＶＣである場合（Ｓ２７でＹＥＳ）、領域特定部１１９は、特定した領域を高解像度化領域として設定するよう映像処理部１２１に指示する（Ｓ２８、領域特定ステップ）。
【００６８】
一方、アセットタイプがＨＥＶＣでない場合（Ｓ２７でＮＯ）、領域特定部１１９は、上述したステップＳ２８の処理を省略する。
【００６９】
最後に、領域特定部１１９は、読み出したＭＰＴにおいて、すべてのアセット情報が選択されたか否かを判定する（Ｓ２９）。すべてのアセット情報が選択されていない場合（Ｓ２９でＮＯ）、未選択のアセット情報のうち、１つを選択し（Ｓ３０）、ステップＳ２３の処理に戻る。
【００７０】
一方、全てのアセット情報が選択されている場合（Ｓ２９でＹＥＳ）、高解像度化領域特定処理は終了する。
【００７１】
（実施形態１における作用効果）
以上のように、本実施形態に係るテレビ１０は、放送ストリームとともに受信したメッセージに含まれるＬＣＴおよびＭＰＴを参照して、高解像度化処理を施す領域と施さない領域とを特定する。つまり、テレビ１０は、複雑な処理を実行することなく、コマ画像に含まれる各領域と、各領域に表示されるコンテンツを特定することができ、高解像度化処理を施す領域と施さない領域とを特定することができる。
【００７２】
また、本実施形態に係るテレビ１０は、ＬＣＴに含まれる各領域の位置情報と、自装置の表示画面のサイズとから、表示画面上における各領域の座標を算出する。これにより、テレビ１０の表示画面がどのようなサイズであっても、コマ画像中の各領域の座標を特定することができ、高解像度化処理を施す領域と施さない領域とを特定することができる。
【００７３】
（実施形態１の変形例）
次に、実施形態１の変形例について図１０および図１１を参照して説明する。図１０は、図９を参照して説明した高解像度化領域特定処理の流れの別の例を示すフローチャートである。また、図１１は、２画面表示時における高解像度化処理が施される領域と施されない領域とを示す模式図である。
【００７４】
図１０に示すように、本実施形態に係る領域特定部１１９は、選択したアセット情報に含まれるアセットタイプが、ＨＥＶＣ（映像）であるか否かを判定し（Ｓ３７）、アセットタイプがＨＥＶＣでない場合（Ｓ３７でＮＯ）、特定した領域を処理除外領域として設定するよう映像処理部１２１に指示する（Ｓ３８）構成であってもよい。
【００７５】
一方、アセットタイプがＨＥＶＣである場合（Ｓ３７でＮＯ）、領域特定部１１９は、上述したステップＳ３８の処理を省略する。
【００７６】
本変形例の場合、領域特定部１１９は、分離部１０２からの通知を受けると、前回特定した処理除外領域の削除を映像処理部１２１に指示する（Ｓ３１）。なお、図１０におけるステップＳ３２〜３６、Ｓ３９、およびＳ４０は、図８におけるステップＳ２２〜Ｓ２６、Ｓ２９、およびＳ３０と同一の処理であるため、ここでの説明を省略する。
【００７７】
また、コマ画像の表示領域は、表示画面全体に限定されない。例えば、図１１に示すように、表示画面の一部に２つのコマ画像を同時に表示（２画面表示）してもよい。２画面表示は、例えばテレビ１０にて２画面表示モードを有効にすることによって実現されるが、この例に限定されるものではない。また、この２つのコマ画像は、図１１に示すようにレイアウトが異なっていてもよい。
【００７８】
領域特定部１１９は、２画面表示モードが有効となると、２画面表示モードにおけるコマ画像の表示領域の左上頂点の座標および右下頂点の座標（表示画面の左上頂点の座標を原点とする）を取得する。ここで、一方の表示領域の左上頂点の座標および右下頂点の座標がそれぞれ、（２０００、５８５）、（３７６０、１５７５）であるとする。このとき、左辺のＸ座標をｌｘ、右辺のＸ座標をｒｘ、上辺のＹ座標をｔｙ、下辺のＹ座標をｄｙとすると、領域特定部１１９は、各座標を、ｌｘ＝２０００＋１７６０×ｌｔｘ÷１００、ｔｙ＝５８５＋９９０×ｌｔｙ÷１００、ｒｘ＝２０００＋１７６０×ｒｄｘ÷１００、ｄｙ＝５８５＋９９０×ｒｄｙ÷１００を計算することによって算出する。なお、もう一方の表示領域についても同様に算出することができる。
【００７９】
このように、本実施形態に係るテレビ１０は、コマ画像の表示領域が表示画面全体でない場合であっても、高解像度化領域と処理除外領域とを特定することができる。
【００８０】
〔実施形態２〕
本発明の他の実施形態について、図１２から図１４に基づいて説明すれば、以下のとおりである。なお、説明の便宜上、前記実施形態にて説明した部材と同じ機能を有する部材については、同じ符号を付記し、その説明を省略する。
【００８１】
（本実施形態に係る表示システム１の概要）
まず、図１２の（ａ）を参照して本実施形態に係る表示システム１の概要について説明する。図１２の（ａ）は、本実施形態における高解像度化処理が施される領域と施されない領域との一例を示す模式図である。
【００８２】
本実施形態に係るテレビ１０は、放送番組の信号を受信して表示する機能に加え、サーバ２０にて管理されているＷｅｂコンテンツを取得して表示する機能を有する。具体的には、テレビ１０は、映像にＷｅｂコンテンツ、またはＷｅｂコンテンツ中のオブジェクトを重畳させることで、放送番組の映像とＷｅｂコンテンツとを同時に表示する。なお、本実施形態においては、放送番組の信号は実施形態１にて説明したＭＭＴフォーマットにて伝送されてもよいし、従来の伝送方式、例えば、ＭＰＥＧ−２  ＴＳなどによって伝送されてもよい。
【００８３】
なお、テレビ１０が取得するコンテンツは、Ｗｅｂコンテンツに限定されない。例えば、データ放送コンテンツ、ハイブリッドキャストコンテンツ、字幕、文字スーパーなどを取得してもよい。
【００８４】
さらに具体的には、本実施形態に係るテレビ１０は、スタイルシートを含む、Ｗｅｂコンテンツを表示するためのＨＴＭＬデータ（第２の画像表示情報、オブジェクト情報）をサーバ２０から取得し、当該ＨＴＭＬデータを参照して、Ｗｅｂコンテンツ中のオブジェクトの位置（オブジェクトが表示される領域）を特定する。そして、当該領域を、高解像度化処理を施さない処理除外領域として特定する。
【００８５】
なお、テレビ１０がサーバ２０から取得するデータは、ＨＴＭＬデータに限定されず、テレビ１０が画像を表示するための情報であればよい。当該情報は例えば、ＸＭＬデータやＸＨＴＭＬデータといった、マークアップ言語で記述され、スタイルシートを含む情報であることが好ましい。
【００８６】
また、スタイルシートの具体例は特に限定されない。例えば、ＣＳＳ（cascading style sheet）であってもよいし、その他のスタイルシートであってもよい。
【００８７】
図１２の（ａ）は、テレビ１０に映る動画像３０が、映像やデータ放送を表示する映像領域８１と、オブジェクトを表示するオブジェクト領域８２とを有する場合を示している。なお、オブジェクト領域８２は、映像領域８１に重畳している。このとき、動画像３０全体に高解像度化処理を施すと、オブジェクト領域８２に含まれるテキストの視認性が低下してしまうおそれがある。そこで、本実施形態に係るテレビ１０は、受信したＨＴＭＬデータを参照して、映像領域８１のうち、オブジェクト領域８２が重畳していない領域を高解像度化領域４１とし、オブジェクト領域８２を処理除外領域４２とする。これにより、映像領域３１のみに高解像度化処理が行われるため、テキストの視認性の低下を防ぐことができる。
【００８８】
（サーバの構成）
次に、図１を参照して、サーバ２０の構成について説明する。本実施形態に係るサーバ２０は、図１に示すように、Ｗｅｂコンテンツが格納されている。Ｗｅｂコンテンツは、各放送番組に対応したＷｅｂコンテンツであり、例えば、ニュース番組に対応したＷｅｂコンテンツの場合、ニュース、気象情報、株価情報などをユーザに示すものであるが、この例に限定されるものではない。
【００８９】
（分離部）
本実施形態の分離部１０２は、上述した実施形態１にて説明した機能に加え、放送ストリームに含まれるＷｅｂコンテンツのＵＲＬ（以降、コンテンツＵＲＬと称する）を、ＨＴＭＬブラウザ１０６に供給する。
【００９０】
（ＵＩ制御部）
本実施形態のＵＩ制御部１０４は、リモコン受信部１０３を介して受信したリモコン信号の示すユーザ指示が、ＨＴＭＬブラウザ１０６によって取得されたＷｅｂコンテンツに対する指示である場合に、該リモコン信号をＨＴＭＬブラウザ１０６に通知する。
【００９１】
（通信制御部、ＨＴＭＬブラウザ）
通信制御部１０５は、ＨＴＭＬブラウザ１０６によって制御されて、サーバ２０との、ネットワークを介した情報の送受信を行う。例えば、通信制御部１０５は、ＨＴＭＬブラウザ１０６によって制御されて、Ｗｅｂコンテンツをテレビ１０にダウンロードする。
【００９２】
ＨＴＭＬブラウザ１０６は、放送ストリームに放送番組と関連付けられて含まれているコンテンツＵＲＬの示すサーバ２０から、放送番組に対応するＷｅｂコンテンツを取得する。
【００９３】
具体的には、ＨＴＭＬブラウザ１０６は、まず、放送番組と関連付けられているコンテンツＵＲＬを分離部１０２から取得すると、取得したコンテンツＵＲＬの示すサーバ２０に通信制御部１０５を介してアクセスする。そして、ＨＴＭＬブラウザ１０６は、サーバ２０からＷｅｂコンテンツをダウンロードすることで、ＷｅｂコンテンツのＨＴＭＬデータを取得する。また、ＨＴＭＬブラウザ１０６は、Ｗｅｂコンテンツ中に表示されるオブジェクトのオブジェクトデータを同時に取得する。このオブジェクトデータの具体例としては、アプリケーション、および、字幕や文字スーパーを表示するための画像またはテキストデータなどが挙げられるが、この例に限定されるものではない。
【００９４】
本実施形態では、ＨＴＭＬブラウザ１０６は、ＨＴＭＬデータとしてＨＴＭＬ５により記述されたデータ（ＨＴＭＬ５データ）を取得することが好ましいが、本発明においては特に限定されない。ＨＴＭＬ５以外のＨＴＭＬで記述されたＨＴＭＬデータであってもよいし、上述したようにＨＴＭＬ以外のマークアップ言語で記述されたデータであってもよい。
【００９５】
また、ＨＴＭＬブラウザ１０６は、取得したオブジェクトデータから、Ｗｅｂコンテンツを構成する複数のオブジェクトを生成し、生成したオブジェクトを順次、フルカラーバックバッファ１１５に格納する。以降では、ＨＴＭＬブラウザ１０６において生成したオブジェクトをフルカラーバックバッファ１１５に格納することを、オブジェクトをフルカラーバックバッファ１１５に描画すると表現する場合がある。
【００９６】
ここで、ＨＴＭＬブラウザ１０６は、生成した複数のオブジェクトの、フルカラーバックバッファ１１５への描画タイミングを制御する。具体的には、ＨＴＭＬブラウザ１０６は、複数のオブジェクトをフルカラーバックバッファ１１５に描画するタイミングを、（１）オブジェクトごとに順次描画するよう制御してもよいし、（２）所定の数のオブジェクトを１グループとしてグループごとに順次描画するよう制御してもよいし、（３）すべてのオブジェクトを一度に描画するよう制御してもよい。
【００９７】
また、ＨＴＭＬブラウザ１０６は、オブジェクト転送処理部１１６によるフルカラーバックバッファ１１５からフルカラーＯＳＤ部１１７への描画内容の転送タイミングを制御する。具体的には、ＨＴＭＬブラウザ１０６は、フルカラーバックバッファ１１５に対するオブジェクトの描画が完了すると、オブジェクト転送処理部１１６に対して転送関数を呼び出す旨の指示（転送関数呼出指示）を通知することにより、フルカラーバックバッファ１１５に描画されたオブジェクトの転送を指示する。
【００９８】
なお、オブジェクト転送処理部１１６によるオブジェクトの転送タイミングは、例えば、描画タイミングが上記（１）である場合には、フルカラーバックバッファ１１５にオブジェクトが描画される都度であればよい。また、描画タイミングが上記（２）である場合には、オブジェクト転送処理部１１６によるオブジェクトの転送タイミングは、フルカラーバックバッファ１１５に１グループのオブジェクトが描画される都度であればよい。そして、描画タイミングが上記（３）である場合には、オブジェクト転送処理部１１６によるオブジェクトの転送タイミングは、フルカラーバックバッファ１１５にＷｅｂコンテンツを構成するすべてのオブジェクトが描画されたときであればよい。
【００９９】
また、ＨＴＭＬブラウザ１０６は、取得したＨＴＭＬデータを領域特定部１１９に出力する。さらに、ＨＴＭＬブラウザ１０６は、ＵＩ制御部１０４から受け取った指示が、Ｗｅｂコンテンツの表示を終了させるための指示である場合、当該指示を受け取った旨を領域特定部１１９に通知する。
【０１００】
以上のように、ＨＴＭＬブラウザ１０６は、Ｗｅｂコンテンツのオブジェクトが表示される位置を規定する情報（ＨＴＭＬデータ）を取得する。つまり、ＨＴＭＬブラウザ１０６は、動画像における各コンテンツが表示される位置を規定する位置規定情報を取得する、位置規定情報取得部１３０に含まれるとも表現することができる。
【０１０１】
なお、テレビ１０が、コンテンツとしてデータ放送コンテンツ、ハイブリッドキャストコンテンツ、字幕、文字スーパーなどを取得する構成である場合、テレビ１０は、各コンテンツを取得して、ディスプレイ１２２に表示するための１以上の処理部（不図示）を備えている。当該処理部は、ＷｅｂコンテンツにおけるＨＴＭＬブラウザ１０６に対応する。上記処理部は、ＨＴＭＬブラウザ１０６と同様に、コンテンツおよびコンテンツのオブジェクトデータを取得して、コンテンツを構成する複数のオブジェクトを生成し、映像生成部１１０に出力する。なお、上記処理部の一例としては、ＢＭＬデータを取得して処理するＢＭＬブラウザなどが挙げられる。
【０１０２】
（フルカラーバックバッファ）
フルカラーバックバッファ１１５には、ＨＴＭＬブラウザ１０６から供給される、Ｗｅｂコンテンツを構成する複数のオブジェクトが順次格納される。具体的には、フルカラーバックバッファ１１５には、各オブジェクトを表す配列データが順次格納される。以降では、オブジェクトをフルカラーバックバッファ１１５に格納することを、オブジェクトをフルカラーバックバッファ１１５に描画するとも記載する。
【０１０３】
なお、オブジェクトを表す配列データには、オブジェクトが表示されるディスプレイ１２２上の各画素に対応する複数の画素データが設定されている。なお、各画素データのデータサイズ、およびその内容については特に限定されない。例えば、各画素データが３２ビットのデータサイズを有しており、３２ビットのうち２４ビットが階調データ（ＲＧＢデータ）を表し、８ビットが不透明度αを表していてもよい。
【０１０４】
（オブジェクト転送処理部）
オブジェクト転送処理部１１６は、フルカラーバックバッファ１１５に描画されているオブジェクトを、フルカラーＯＳＤ部１１７に転送する。
【０１０５】
なお、オブジェクト転送処理部１１６によるフルカラーバックバッファ１１５からフルカラーＯＳＤ部１１７へのオブジェクトの転送のタイミングは、ＨＴＭＬブラウザ１０６により通知される転送関数呼出指示により制御される。具体的には、オブジェクト転送処理部１１６は、ＨＴＭＬブラウザ１０６から転送関数呼出指示が通知されると、通知された転送関数呼出指示に従い、転送関数呼出指示によって指定された転送関数を呼び出す。そして、オブジェクト転送処理部１１６は、呼び出した転送関数に規定されている転送タイミングに従って、フルカラーバックバッファ１１５に描画されているオブジェクトを、フルカラーＯＳＤ部１１７に転送する。
【０１０６】
（フルカラーＯＳＤ部）
フルカラーＯＳＤ部１１７は、オブジェクト転送処理部１１６から転送されたＷｅｂコンテンツを構成するオブジェクトを、Ｗｅｂコンテンツを描画するためのレイヤー（フルカラープレーン）に逐次描画する。フルカラーＯＳＤ部１１７は、Ｗｅｂコンテンツの描画されたフルカラープレーンを、映像合成部１１８に逐次供給する。
【０１０７】
（映像合成部）
本実施形態に係る映像合成部１１８は、ＯＳＤ部１１４から供給されたビデオプレーンに、フルカラーＯＳＤ部１１７から供給されたフルカラープレーン、および、ＯＳＤ部１１４から供給されたＯＳＤプレーンをこの順で重畳し、重畳画像を示す重畳画像データを生成する。映像合成部１１８は、生成した重畳画像データを、映像処理部１２１に供給する。
【０１０８】
（領域特定部）
次に、図１、図１２の（ｂ）および（ｃ）を参照して、本実施形態に係る領域特定部１１９の詳細について説明する。図１２の（ｂ）は、高解像度化処理が施されない領域を特定するためのパラメータの一例を示す図であり、図１２の（ｃ）は、高解像度化処理が施されない領域を特定するためのパラメータの別の例を示す図である。
【０１０９】
本実施形態に係る領域特定部１１９は、ＨＴＭＬブラウザ１０６から受け取ったＨＴＭＬデータを参照して、スタイルシートにて記載された各オブジェクトの位置を規定する情報（以降、オブジェクト位置情報と称する）を特定する。具体的には、領域特定部１１９は、図１２の（ｂ）に示すように、ＨＴＭＬデータにおいて設定された、オブジェクトを表示可能な領域を示す基準領域８０の上辺からオブジェクトまでの距離である「ｔｏｐ」、基準領域８０の左辺からオブジェクトまでの距離である「ｌｅｆｔ」、オブジェクトの左右方向の長さである「ｗｉｄｔｈ」、およびオブジェクトの上下方向の長さである「ｈｅｉｇｈｔ」の値をＨＴＭＬデータにおいてそれぞれ特定する。なお以降、「ｔｏｐ」、「ｌｅｆｔ」、「ｗｉｄｔｈ」、および「ｈｅｉｇｈｔ」の値をそれぞれ、「Ｔ」、「Ｌ」、「Ｗ」、および「Ｈ」と記載する場合がある。
【０１１０】
また、特定する値は上記４つの値に限定されない。例えば、図１２の（ｃ）に示すように、上述した「ｔｏｐ」および「ｌｅｆｔ」の値と、基準領域８０の下辺からオブジェクトまでの距離である「ｂｏｔｔｏｍ」、および基準領域８０の右辺からオブジェクトまでの距離である「ｒｉｇｈｔ」の値とを特定してもよい。
【０１１１】
また、基準領域８０のサイズおよび各頂点の座標については特に限定されないが、ハイブリッドキャストと呼ばれる技術（本実施形態のように、コマ画像にＷｅｂコンテンツなどを示す画像を重畳した重畳画像を生成し、当該重畳画像を表示する技術）においては、基準領域８０の左上の座標および右下の座標をそれぞれ（０，０）および（１９２０，１０８０）としている。本実施形態もこの座標を用いるものとして説明する。
【０１１２】
そして、領域特定部１１９は、取得したコンテンツ位置情報と、予め定められた、自装置（テレビ１０）における表示領域のサイズとから、オブジェクトが表示される領域（以降、オブジェクト領域と称する）の、表示領域における左辺および右辺のＸ座標、並びに、上辺および下辺のＹ座標を算出する。
【０１１３】
例えば、テレビ１０の表示画面において、放送番組の映像が全画面表示され、当該映像にＷｅｂコンテンツのオブジェクトが重畳されて表示される場合について説明する。実施形態１と同様に、表示画面の左上を原点とし、右方向にＸ軸、下方向にＹ軸をとり、左辺のＸ座標をｌｘ、右辺のＸ座標をｒｘ、上辺のＹ座標をｔｙ、下辺のＹ座標をｄｙとする。そして、表示画面のサイズは、３８４０×２１６０であるものとする。
【０１１４】
領域特定部１１９は、ｌｘ＝３８４０×Ｌ÷１９２０、ｔｙ＝２１６０×Ｔ÷１０８０、ｒｘ＝３８４０×（Ｌ＋Ｗ）÷１９２０、ｄｙ＝２１６０×（Ｔ＋Ｈ）÷１０８０を計算することによって、表示画面上における、オブジェクト領域の左辺および右辺のＸ座標、並びに、上辺および下辺のＹ座標を算出する。これにより、オブジェクト領域の表示画面上における座標を特定することができる。以降、算出したＸ座標およびＹ座標を、オブジェクト表示情報と称する。
【０１１５】
そして、領域特定部１１９は、求めた座標（オブジェクト表示情報）によって示されるオブジェクト領域を処理除外領域であると特定する。そして、オブジェクト表示情報を記憶部１４０に記憶する。また、領域特定部１１９は、算出したオブジェクト表示情報を映像処理部１２１に出力し、当該オブジェクト表示情報によって示される領域（オブジェクト領域）以外の領域に高解像度化処理を施すよう指示する。
【０１１６】
また、領域特定部１１９は、ＨＴＭＬブラウザ１０６から、Ｗｅｂコンテンツの表示を終了させる指示を受け取ったことを通知されると、記憶部１４０からオブジェクト表示情報を読み出し、当該オブジェクト表示情報によって示されるオブジェクト領域を処理除外領域から削除するよう、映像処理部１２１に指示する。
【０１１７】
（高解像度化領域特定処理）
次に、図１３の（ａ）を参照して、本実施形態に係るテレビ１０が実行する高解像度化領域特定処理の流れについて説明する。図１３の（ａ）は、高解像度化領域特定処理の流れの一例を示すフローチャートである。
【０１１８】
まず、ＨＴＭＬブラウザ１０６は、ＨＴＭＬデータの取得を待機する状態となっている（Ｓ４１）。ＨＴＭＬブラウザ１０６は、分離部１０２からコンテンツＵＲＬを取得すると、当該コンテンツＵＲＬに基づいて、サーバ２０からスタイルシートを含む当該ＷｅｂコンテンツのＨＴＭＬデータを取得する（Ｓ４１でＹＥＳ）。このとき、Ｗｅｂコンテンツ中にオブジェクトを表示するためのオブジェクトデータも取得する。ＨＴＭＬブラウザ１０６は、取得したＨＴＭＬデータを領域特定部１１９に出力する。
【０１１９】
続いて、領域特定部１１９は、受け取ったＨＴＭＬデータからオブジェクト位置情報を取得する（Ｓ４２）。具体的には、スタイルシートにて記載された「ｔｏｐ」、「ｌｅｆｔ」、「ｗｉｄｔｈ」、および「ｈｅｉｇｈｔ」の値を取得する。
【０１２０】
続いて、領域特定部１１９は、取得したオブジェクト位置情報から、オブジェクトの表示画面上における左辺および右辺のＸ座標、並びに上辺および下辺のＹ座標を算出する（Ｓ４３）。そして、算出した座標を記憶部１４０に保存する（Ｓ４４）。
【０１２１】
最後に、領域特定部１１９は、算出した座標にて示される領域を、処理除外領域として設定するよう映像処理部１２１に指示し（Ｓ４５）、算出した座標を映像処理部１２１に出力する。以上で、高解像度化領域特定処理は終了する。
【０１２２】
（特定領域解除処理）
次に、図１３の（ｂ）を参照して、本実施形態に係るテレビ１０が実行する特定領域解除処理の流れについて説明する。図１３の（ｂ）は、特定領域解除処理の流れの一例を示すフローチャートである。
【０１２３】
まず、ＨＴＭＬブラウザ１０６は、ＵＩ制御部１０４からのＷｅｂコンテンツの表示を終了する指示を待機する状態となっている（Ｓ５１）。当該指示を取得すると（Ｓ５１でＹＥＳ）、ＨＴＭＬブラウザ１０６は、当該指示を取得した旨を領域特定部１１９に通知する。
【０１２４】
続いて、領域特定部１１９は、ＨＴＭＬブラウザ１０６からの通知を受けると、記憶部１４０に保存していた座標を読み出す（Ｓ５２）。そして、領域特定部１１９は、読み出した座標で示される処理除外領域を削除するよう、映像処理部１２１に指示し（Ｓ５３）、読み出した座標を映像処理部１２１に出力する。以上で、特定領域解除処理は終了する。
【０１２５】
（実施形態２の作用効果）
以上のように、本実施形態に係るテレビ１０は、Ｗｅｂコンテンツを表示するために取得したスタイルシートを含むＨＴＭＬデータを参照して、高解像度化処理を施す領域と施さない領域とを特定する。つまり、テレビ１０は、複雑な処理を実行することなく、Ｗｅｂコンテンツのオブジェクトが表示される領域を特定することができ、高解像度化処理を施す領域と施さない領域とを特定することができる。
【０１２６】
また、本実施形態に係るテレビ１０は、ＨＴＭＬデータに含まれるオブジェクトの位置を指定する情報と、オブジェクトが表示される表示領域（例えば、表示画面）のサイズとから、表示領域におけるオブジェクトの領域の座標を算出する。これにより、テレビ１０において表示領域がどのようなサイズであっても、コマ画像中のオブジェクトの領域の座標を特定することができ、高解像度化処理を施す領域と施さない領域とを特定することができる。
【０１２７】
（実施形態２の変形例）
次に、実施形態２の変形例について図１４を参照して説明する。図１４の（ａ）は、実施形態２における、高解像度化処理が施される領域と施されない領域との別の例を示す模式図であり、図１４の（ｂ）は、実施形態２における、高解像度化処理が施される領域と施されない領域とのさらに別の例を示す模式図である。
【０１２８】
図１４の（ａ）に示すように、テレビ１０は、Ｗｅｂコンテンツのオブジェクト８３を全画面表示し、放送番組の映像８４を、縮小してオブジェクト８３に重畳表示してもよい。つまり、ＷｅｂコンテンツのＨＴＭＬデータは、オブジェクト８３だけでなく、映像８４のサイズをスタイルシートにて指定するものであってもよい。
【０１２９】
この場合、領域特定部１１９は、ＨＴＭＬデータを参照して、映像８４の位置情報を特定してもよい。そして、領域特定部１１９は、表示される映像８４の座標を算出し、当該座標を映像処理部１２１に出力するとともに、映像８４の領域を高解像度化領域として設定するよう指示する。またこの場合、映像処理部１２１は、通知されなかったオブジェクト８５の領域は、処理除外領域４２として設定する。
【０１３０】
また、図１４の（ｂ）に示すように、テレビ１０は、Ｗｅｂコンテンツのオブジェクト８５を全画面表示し、放送番組の映像８６を、縮小してオブジェクト８５に重畳表示するとともに、別のオブジェクト８７を映像８６に重畳表示してもよい。
【０１３１】
この場合、映像８６の領域は、オブジェクト８５が全画面表示されているため、図１４の（ａ）を参照して説明した変形例と同様の方法で、高解像度化領域４１として映像処理部１２１に設定させることができる。
【０１３２】
これに対して、オブジェクト８７については、実施形態２と同様に、基準領域８０におけるオブジェクト位置情報がＨＴＭＬデータに記載されているのみの場合がある。ところが、基準領域８０に対応する映像８６は縮小表示されているため、この縮小に合わせてオブジェクト８７の座標を算出する必要がある。
【０１３３】
具体的には、領域特定部１１９は、映像８６の座標を算出した後、当該映像８６の座標を用いて、オブジェクト８７の座標を算出する。より具体的には、テレビ１０の表示画面のサイズが３８４０×２１６０であり、映像８６の表示画面における左上および右下の頂点の座標がそれぞれ、（４６０，４６０）および（３１５０，１８５０）であるとする。また、基準領域８０の左上の座標および右下の座標はそれぞれ（０，０）および（１９２０，１０８０）であるとする。このとき、領域特定部１１９は、ｌｘ＝４６０＋２６９０×Ｌ÷１９２０、ｔｙ＝４６０＋１３９０×Ｔ÷１０８０、ｒｘ＝４６０＋２６９０×（Ｌ＋Ｗ）÷１９２０、ｄｙ＝４６０＋１３９０×（Ｔ＋Ｈ）÷１０８０を計算することによって、映像８６中における、オブジェクト８７の領域の左辺および右辺のＸ座標、並びに、上辺および下辺のＹ座標を算出する。
【０１３４】
そして、本変形例では、領域特定部１１９は、映像８６およびオブジェクト８７の座標を映像処理部１２１に出力する。また、領域特定部１１９は、映像８６の座標によって示される領域を高解像度化領域４１として設定するよう指示するとともに、映像８６の座標によって示される領域のうち、オブジェクト８７の座標によって示される領域を、処理除外領域４２として設定するように指示する。これにより、図１４の（ｂ）のようにオブジェクト、映像、オブジェクトの順に重畳されている複雑なコマ画像であっても、高解像度化処理を施す領域と施さない領域とを特定することができる。
【０１３５】
また、実施形態２では、Ｗｅｂコンテンツが外部のサーバ２０に格納されている例を説明したが、Ｗｅｂコンテンツはテレビ１０に格納されていてもよい。
【０１３６】
〔実施形態３〕
本発明の他の実施形態について、図１５および図１６に基づいて説明すれば、以下のとおりである。なお、説明の便宜上、前記実施形態にて説明した部材と同じ機能を有する部材については、同じ符号を付記し、その説明を省略する。
【０１３７】
（本実施形態に係る表示システム１の概要）
まず、図１５を参照して本実施形態に係る表示システム１の概要について説明する。図１５は、本実施形態における高解像度化処理が施される領域と施されない領域との一例を示す模式図である。
【０１３８】
本実施形態に係るテレビ１０は、実施形態１にて説明した、メッセージ（第１の位置規定情報）を参照して高解像度化領域と処理除外領域とを特定する処理と、実施形態２にて説明した、スタイルシートを含むＨＴＭＬデータ（第２の位置規定情報）を参照して高解像度化領域と処理除外領域とを特定する処理とを組み合わせた処理を実行する。本実施形態では、ＭＭＴフォーマットにて伝送された映像信号（第１のコンテンツ）を、メッセージに基づくレイアウトで表示するテレビ１０において、さらに、外部から取得したＷｅｂコンテンツのオブジェクトを映像領域に重畳表示する例について説明する。
【０１３９】
なお、実施形態２と同様に、本実施形態のテレビ１０がネットワークを介して取得するコンテンツ（第２のコンテンツ）はＷｅｂコンテンツに限定されない。
【０１４０】
図１５では、図５の（ｂ）に示す重ならない３領域を有するレイアウトで表示された動画像３０を示している。当該動画像３０は、映像領域９１、文字スーパー領域９２および字幕領域９３を有している。さらに、映像領域９１には、Ｗｅｂコンテンツのオブジェクト９４が重畳表示されている。ここで、動画像３０全体に高解像度化処理を施すと、文字スーパー領域９２、字幕領域９３、およびオブジェクト９４に含まれるテキストの視認性が低下してしまう。そこで、本実施形態に係るテレビ１０は、メッセージおよびＨＴＭＬデータを参照して、図１５に示すように、映像領域９１のうち、オブジェクト９４を除く領域を高解像度化領域４１とし、文字スーパー領域９２、字幕領域９３、およびオブジェクト９４を処理除外領域４２とする。これにより、テキストの視認性の低下を防ぐことができる。
【０１４１】
（テレビの構成）
本実施形態に係るテレビ１０は、基本的には実施形態２に係るテレビ１０と同様である。ここでは、実施形態２に係るテレビ１０と異なる点のみ説明する。
【０１４２】
（領域特定部）
本実施形態に係る領域特定部１１９は、レイアウトに基づく映像領域における、オブジェクトの座標を算出する。すなわち、メッセージ（ＭＰＴ）にて定められたレイアウトにおいて、映像領域が表示画面の一部の領域に縮小表示されている場合、当該映像領域のサイズに応じて、ＨＴＭＬデータに記載されたオブジェクトのサイズを変更する。
【０１４３】
ここで、領域特定部１１９による、映像領域におけるオブジェクトの座標の算出について詳細に説明する。なおここでは、表示画面の左上を原点とし、右方向にＸ軸、下方向にＹ軸をとり、左辺のＸ座標をｌｘ、右辺のＸ座標をｒｘ、上辺のＹ座標をｔｙ、下辺のＹ座標をｄｙとする。また、テレビ１０の表示画面のサイズが３８４０×２１６０であり、映像領域の表示画面における左上および右下の頂点の座標がそれぞれ、（０，０）および（３０７０，１７３０）であるとする。また、ＨＴＭＬデータに記載された「ｔｏｐ」、「ｌｅｆｔ」、「ｗｉｄｔｈ」、および「ｈｅｉｇｈｔ」の値をそれぞれ、Ｔ、Ｌ、Ｗ、およびＨとし、ＨＴＭＬデータにおける基準領域８０の左上の座標および右下の座標はそれぞれ（０，０）および（１９２０，１０８０）であるとする。
【０１４４】
このとき、領域特定部１１９は、ｌｘ＝３０７０×Ｌ÷１９２０、ｔｙ＝１７３０×Ｔ÷１０８０、ｒｘ＝３０７０×（Ｌ＋Ｗ）÷１９２０、ｄｙ＝１７３０×（Ｔ＋Ｈ）÷１０８０を計算することによって、映像領域における、オブジェクト領域の左辺および右辺のＸ座標、並びに、上辺および下辺のＹ座標を算出する（オブジェクト表示情報を算出する）。これにより、オブジェクト領域の映像領域における座標を特定することができる。
【０１４５】
なお、領域特定部１１９は、映像領域のサイズ（座標）が、表示画面のサイズと一致する場合は、本実施形態にて説明した座標の算出方法ではなく、実施形態２にて説明した算出方法によって、オブジェクト領域の座標を特定してもよい。すなわち、映像領域のサイズに応じて、算出方法を切り換えてもよい。
【０１４６】
（高解像度化領域特定処理）
次に、図１６を参照して、本実施形態に係るテレビ１０が実行する高解像度化領域特定処理の流れについて説明する。図１６は、高解像度化領域特定処理の流れの一例を示すフローチャートである。なお、図１６のステップＳ６１〜Ｓ７０は、実施形態１の変形例にて説明した図１０のステップＳ３１〜Ｓ４０と同様であるため、ここでの説明を省略する。また、図１６のフローチャートにおいては、ＷｅｂコンテンツのＨＴＭＬデータおよびオブジェクトデータはすでに取得しているものとする。
【０１４７】
全てのアセット情報が選択されている場合（Ｓ６９でＹＥＳ）、領域特定部１１９は、ＨＴＭＬブラウザ１０６から受け取ったＨＴＭＬデータからオブジェクト位置情報を取得する（Ｓ７１、第２取得ステップ）、具体的には、スタイルシートにて記載された「ｔｏｐ」、「ｌｅｆｔ」、「ｗｉｄｔｈ」、および「ｈｅｉｇｈｔ」の値を取得する。
【０１４８】
続いて、領域特定部１１９は、取得したオブジェクト位置情報から、オブジェクトの映像領域（メッセージから座標が特定された映像領域）における左辺および右辺のＸ座標、並びに上辺および下辺のＹ座標を算出する（Ｓ７２）。そして、算出した座標を記憶部１４０に保存する（Ｓ７３）。
【０１４９】
最後に、領域特定部１１９は、算出した座標にて示される領域を、処理除外領域として設定するよう映像処理部１２１に指示し（Ｓ７４、領域特定ステップ）、算出した座標を映像処理部１２１に出力する。以上で、高解像度化領域特定処理は終了する。
【０１５０】
（実施形態３の作用効果）
以上のように、本実施形態に係るテレビ１０は、メッセージおよびＨＴＭＬデータを参照して、高解像度化処理を施す領域と施さない領域とを特定する。具体的には、メッセージを参照して各領域の座標を特定し、さらに映像領域のメッセージに基づいて映像領域が縮小された場合であっても、当該映像領域に重畳表示されるＷｅｂコンテンツのオブジェクトの領域を正確に特定し、当該領域を、高解像度化処理を施さない領域として特定することができる。
【０１５１】
〔ソフトウェアによる実現例〕
テレビ１０の制御ブロック（特にＨＴＭＬブラウザ１０６、映像合成部１１８、領域特定部１１９、および映像処理部１２１）は、集積回路（ＩＣチップ）等に形成された論理回路（ハードウェア）によって実現してもよいし、ＣＰＵ（Central Processing Unit）を用いてソフトウェアによって実現してもよい。
【０１５２】
後者の場合、テレビ１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５３】
〔まとめ〕
本発明の態様１に係る画像処理装置（テレビ１０）は、表示対象の画像について、当該画像中の各領域の位置を規定する位置規定情報を取得する位置規定情報取得部（１３０）と、上記位置規定情報取得部が取得した位置規定情報を参照して、上記画像中の各領域のうち、画像処理を施す処理領域と画像処理を施さない非処理領域とを特定する領域特定部（１１９）と、を備えている。
【０１５４】
上記の構成によれば、位置規定情報を参照して、画像処理を施す処理領域と画像処理を施さない非処理領域とを特定する。これにより、複雑な処理を行うことなく、画像処理を施す処理領域と画像処理を施さない非処理領域とを特定することができる。よって、処理量を抑制しつつ、画像処理を施す領域と施さない領域とを特定することができる。
【０１５５】
本発明の態様２に係る画像処理装置は、上記態様１において、上記位置規定情報取得部は、上記位置規定情報として、映像信号の所定の伝送方式にて送信される第１の画像表示情報を取得してもよい。
【０１５６】
上記の構成によれば、映像信号の所定の伝送方式にて送信される第１の画像表示情報を取得する。つまり、第１の画像表示情報は、映像信号と同様の伝送方式にて画像処理装置に伝送される。これにより、映像信号を受信する構成を有するだけで、処理領域と非処理領域とを特定するための情報を取得することができる。
【０１５７】
本発明の態様３に係る画像処理装置は、上記態様２において、上記位置規定情報取得部は、上記第１の画像表示情報として、上記画像のレイアウトおよび当該レイアウトを構成する領域を規定するレイアウト情報と、上記レイアウトを構成する領域に表示されるコンテンツの種類を規定するコンテンツ情報と、を取得してもよい。
【０１５８】
上記の構成によれば、第１の画像表示情報として、レイアウト情報とコンテンツ情報とを取得する。これにより、表示対象の画像のレイアウト（各領域がどのように配置されているか）と、各領域にどのようなコンテンツが表示されるのかを特定することができる。よって、領域に表示されるコンテンツに応じて、画像処理を施す領域と施さない領域とを特定することができる。
【０１５９】
本発明の態様４に係る画像処理装置は、上記態様３において、上記領域特定部は、上記コンテンツとして放送番組の映像が表示される上記領域を、上記処理領域として特定し、上記映像と異なる上記コンテンツが表示される上記領域を、上記非処理領域として特定してもよい。
【０１６０】
上記の構成によれば、放送番組の映像が表示される領域を処理領域として特定する。これにより、放送番組の映像が表示される領域において、表示品位を向上させることができる。
【０１６１】
また、映像と異なるコンテンツは、その内容によっては画像処理によって視認性が低下するおそれがある。そこで上記の構成によれば、映像と異なるコンテンツが表示される領域を非処理領域として特定する。これにより、コンテンツ（特に、コンテンツに含まれる文字）の視認性の低下を防ぐことができる。なお、映像と異なるコンテンツとしては、字幕、文字スーパー、アプリケーションなどが挙げられる。
【０１６２】
本発明の態様５に係る画像処理装置は、上記態様２から４のいずれかにおいて、上記第１の画像表示情報は、ＭＭＴにて送信されてもよい。
【０１６３】
上記の構成によれば、第１の画像表示情報はＭＭＴにて送信される。これにより、ＭＭＴにて送信された映像信号を受信する構成を有する画像処理装置において、処理領域と非処理領域とを特定するための情報を取得することができる。
【０１６４】
本発明の態様６に係る画像処理装置は、上記態様１から５のいずれかにおいて、上記位置規定情報取得部は、上記位置規定情報として、上記画像を表示するための第２の画像表示情報を取得してもよい。
【０１６５】
上記の構成によれば、画像処理を施す領域と画像処理を施さない領域とを特定するために、画像を表示するための第２の画像表示情報を取得する。つまり、画像を表示するための第２の画像表示情報を取得して、当該第２の画像表示情報に応じた画像を表示する部材を有する構成とすることで、当該部材を用いて処理領域および非処理領域を特定するための情報を取得することができる。なお、第２の画像表示情報を取得して、当該第２の画像表示情報に応じた画像を表示する部材とは、例えば、取得したＨＴＭＬデータに応じた画像を表示するＨＴＭＬブラウザなどが挙げられる。
【０１６６】
本発明の態様７に係る画像処理装置は、上記態様６において、上記位置規定情報取得部は、上記第２の画像表示情報として、コンテンツ中のオブジェクトの位置を規定するオブジェクト情報を取得してもよい。
【０１６７】
上記の構成によれば、コンテンツ中のオブジェクトの位置を規定するオブジェクト情報を取得するので、当該オブジェクトが表示される領域を、画像処理を施す領域、または画像処理を施さない領域として特定することができる。
【０１６８】
本発明の態様８に係る画像処理装置は、上記態様７において、上記領域特定部は、上記オブジェクトが表示される上記領域を、上記非処理領域として特定してもよい。
【０１６９】
オブジェクトは、その内容によっては画像処理によって視認性が低下するおそれがある。そこで上記の構成によれば、オブジェクトが表示される領域を非処理領域として特定する。これにより、オブジェクト（特に、オブジェクトに含まれる文字）の視認性の低下を防ぐことができる。なお、オブジェクトとしては、字幕、文字スーパー、アプリケーションなどが挙げられる。
【０１７０】
本発明の態様９に係る画像処理装置は、上記態様７または８において、上記コンテンツは、Ｗｅｂコンテンツであってもよい。
【０１７１】
上記の構成によれば、コンテンツがＷｅｂコンテンツであるので、ネットワークを介して取得したコンテンツにおいて、オブジェクトが表示される領域を、画像処理を施す領域、または画像処理を施さない領域として特定することができる。
【０１７２】
本発明の態様１０に係る画像処理装置は、上記態様６から９のいずれかにおいて、上記第２の画像表示情報は、所定のマークアップ言語で記述され、スタイルシートを含んでもよい。
【０１７３】
上記の構成によれば、第２の画像表示情報は、所定のマークアップ言語で記述され、スタイルシートを含んでいる。これにより、所定のマークアップ言語で記述された第２の画像表示情報を取得して、当該第２の画像表示情報に応じた画像を表示する部材を有する構成とすることで、当該部材を用いて処理領域および非処理領域を特定するための情報を取得することができる。なお、マークアップ言語で記述された第２の画像表示情報を取得して、当該第２の画像表示情報に応じた画像を表示する部材とは、例えば、取得したＨＴＭＬデータに応じた画像を表示するＨＴＭＬブラウザなどが挙げられる。
【０１７４】
本発明の態様１１に係る画像処理装置は、上記態様１から１０のいずれかにおいて、上記領域特定部は、上記位置規定情報取得部が取得した上記位置規定情報と、予め定められた、上記画像を表示する表示領域の座標とに基づいて、上記表示領域における上記画像中の各領域の座標を算出してもよい。
【０１７５】
上記の構成によれば、位置規定情報と画像を表示する表示領域の座標とに基づいて、表示領域における画像中の各領域の座標を算出する。これにより、表示領域のサイズがどのような場合であっても、各領域の位置およびサイズを正確に算出することができる。
【０１７６】
本発明の態様１２に係る画像処理装置は、表示対象の画像について、当該画像中の一部の領域の位置を規定する第１の位置規定情報を、放送波を介して取得する第１取得部と、上記画像について、上記第１の位置規定情報によって位置を規定された領域と異なる領域の位置を規定する第２の位置規定情報を、ネットワークを介して取得する第２取得部と、上記第１取得部および上記第２取得部がそれぞれ取得した上記第１の位置規定情報および上記第２の位置規定情報を参照して、上記画像中の各領域のうち、画像処理を施す処理領域と画像処理を施さない非処理領域とを特定する領域特定部と、を備えている。
【０１７７】
上記の構成によれば、放送波を介して取得する第１の位置規定情報と、ネットワークを介して取得する第２の位置規定情報を参照して、画像処理を施す領域と施さない領域とを特定する。つまり、異なる経路で取得した情報を参照して、画像処理を施す領域と施さない領域とを特定する。これにより、異なる経路で取得した情報によって画像中の各領域の位置が規定されている場合であっても、画像中の各領域について、画像処理を施す領域と施さない領域とを特定することができる。
【０１７８】
本発明の態様１３に係る画像処理装置は、上記態様１２において、上記第１取得部は、上記第１の位置規定情報として、映像信号の所定の伝送方式にて送信される第１の画像表示情報を取得し、上記第２取得部は、上記第２の位置規定情報として、上記画像を表示するための第２の画像表示情報を取得してもよい。
【０１７９】
上記の構成によれば、映像信号の所定の伝送方式にて送信される第１の画像表示情報と、画像を表示するための第２の位置規定画像表示情報とを取得する。これにより、映像信号を受信する部材、および第２の画像表示情報を取得して、当該第２の画像表示情報に応じた画像を表示する部材を有する構成とすれば、これらの部材を用いて処理領域と非処理領域とを特定するための情報を取得することができる。
【０１８０】
本発明の態様１４に係る画像処理装置は、上記態様１３において、上記第１取得部は、上記第１の画像表示情報として、上記画像のレイアウトおよび当該レイアウトを構成する領域を規定するレイアウト情報と、上記レイアウトを構成する領域に表示される第１のコンテンツの種類を規定するコンテンツ情報と、を取得し、上記第２取得部は、上記第２の画像表示情報として、上記第１のコンテンツと異なる第２のコンテンツ中のオブジェクトの位置を規定するオブジェクト情報を取得してもよい。
【０１８１】
上記の構成によれば、レイアウト情報、コンテンツ情報、およびオブジェクト情報を取得する。これにより、表示対象の画像のレイアウト（各領域がどのように配置されているか）と、各領域にどのようなコンテンツが表示されるのかを特定することができる。よって、領域に表示されるコンテンツに応じて、画像処理を施す領域と施さない領域とを特定することができる。また、オブジェクトが表示される領域を、画像処理を施す領域、または画像処理を施さない領域として特定することができる。
【０１８２】
本発明の態様１５に係る画像処理装置は、上記態様１４において、上記領域特定部は、上記第１のコンテンツとして放送番組の映像が表示される領域である映像領域の座標を、上記レイアウト情報、上記コンテンツ情報、および予め定められた、上記画像を表示する表示領域の座標を参照することで算出すると共に、上記映像領域における、上記オブジェクトが表示される領域の座標を、上記オブジェクト情報を参照して算出してもよい。
【０１８３】
上記の構成によれば、映像領域の座標を算出し、当該映像領域とオブジェクト情報を参照して、映像領域におけるオブジェクトが表示される領域の座標を算出する。これにより、映像領域のサイズがどのような場合であっても、オブジェクトが表示される領域の位置およびサイズを正確に算出することができる。
【０１８４】
本発明の態様１６に係る画像処理装置は、上記態様１４または１５において、上記第２のコンテンツは、Ｗｅｂコンテンツであってもよい。
【０１８５】
上記の構成によれば、第２のコンテンツがＷｅｂコンテンツであるので、ネットワークを介して取得したコンテンツ（第２のコンテンツ）において、オブジェクトが表示される領域を、画像処理を施す領域、または画像処理を施さない領域として特定することができる。
【０１８６】
本発明の態様１７に係る画像処理装置は、上記態様１３から１６のいずれかにおいて、上記第１の画像表示情報はＭＭＴにて送信され、上記第２の画像表示情報は所定のマークアップ言語で記述され、スタイルシートを含んでもよい。
【０１８７】
上記の構成によれば、第１の画像表示情報はＭＭＴにて送信され、また、第２の画像表示情報は、所定のマークアップ言語で記述され、スタイルシートを含んでいる。これにより、ＭＭＴにて送信された映像信号を受信する構成、および、所定のマークアップ言語で記述された第２の画像表示情報を取得して、当該第２の画像表示情報に応じた画像を表示する部材を有する構成を有する画像処理装置において、処理領域および非処理領域を特定するための情報を取得することができる。
【０１８８】
本発明の態様１８に係るテレビジョン受像機は、上記態様１から１７のいずれかに記載の画像処理装置を備えていてもよい。
【０１８９】
上記の構成によれば、上述の画像処理装置と同様の作用効果を奏する。
【０１９０】
本発明の態様１９に係る画像処理装置の制御方法は、表示対象の画像について、当該画像中の各領域の位置を規定する位置規定情報を取得する位置規定情報取得ステップと、上記位置規定情報取得ステップにて取得した位置規定情報を参照して、上記画像中の各領域のうち、画像処理を施す処理領域と画像処理を施さない非処理領域とを特定する領域特定ステップと、を含んでいる。
【０１９１】
上記の構成によれば、態様１に係る画像処理装置と同様の作用効果を奏する。
【０１９２】
本発明の態様２０に係る画像処理装置の制御方法は、表示対象の画像について、当該画像中の各領域の位置を規定する第１の位置規定情報を、放送波を介して取得する第１取得ステップと、上記画像について、上記第１の位置規定情報によって位置を規定された領域と異なる領域の位置を規定する第２の位置規定情報を、ネットワークを介して取得する第２取得ステップと、上記第１取得ステップおよび上記第２取得ステップにてそれぞれ取得した上記第１の位置規定情報および上記第２の位置規定情報を参照して、上記画像中の各領域のうち、画像処理を施す処理領域と画像処理を施さない非処理領域とを特定する領域特定ステップと、を含んでいる。
【０１９３】
上記の構成によれば、態様１２に係る画像処理装置と同様の作用効果を奏する。
【０１９４】
本発明の各態様に係る画像処理装置は、コンピュータによって実現してもよく、この場合には、コンピュータを上記画像処理装置が備える各部（ソフトウェア要素）として動作させることにより上記画像処理装置をコンピュータにて実現させる画像処理装置の制御プログラム、およびそれを記録したコンピュータ読み取り可能な記録媒体も、本発明の範疇に入る。
【０１９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９６】
本発明は、表示対象の画像に画像処理を施す画像処理装置に利用することができる。特に、テレビジョン受像機、携帯電話、スマートフォン、タブレット端末、パーソナルコンピュータ、およびカーナビゲーションシステムなどに好適である。
【符号の説明】
【０１９７】
１０  テレビ（画像処理装置）
１３０  位置規定情報取得部
１１９  領域特定部
１０２  分離部（第１取得部）
１０６  ＨＴＭＬブラウザ（第２取得部）
Ｓ１、Ｓ１１  位置規定情報取得ステップ、第１取得ステップ
Ｓ２８、Ｓ７４  領域特定ステップ
Ｓ７１  第２取得ステップ
【図１】
2016154314.tif 000003
【図２】
2016154314.tif 000004
【図３】
2016154314.tif 000005
【図４】
2016154314.tif 000006
【図５】
2016154314.tif 000007
【図６】
2016154314.tif 000008
【図７】
2016154314.tif 000009
【図８】
2016154314.tif 000010
【図９】
2016154314.tif 000011
【図１０】
2016154314.tif 000012
【図１１】
2016154314.tif 000013
【図１２】
2016154314.tif 000014
【図１３】
2016154314.tif 000015
【図１４】
2016154314.tif 000016
【図１５】
2016154314.tif 000017
【図１６】
2016154314.tif 000018